(57)【要約】【課題】入賞口に入賞しなかった遊技球に、該入賞口に入賞可能な機会を再度与えることができる遊技機を提供する。【解決手段】大入賞装置２０は、遊技盤２の前面に配される大入賞口２１及び当たり遊技時に大入賞口２１の上側で開閉される開閉部材２２を有する。大入賞装置２０は、開閉部材２２の閉鎖時に遊技球が大入賞口２１に入賞不可能な閉鎖状態と、開閉部材２２の開放時に大入賞口２１の上側を通る遊技球が入賞可能な開放状態と、に変化する。大入賞口２１に入賞しなかった遊技球は、ステージ部２５１及び傾斜部２３によって大入賞口２１の上側に誘導される。よって、大入賞口２１に入賞しなかった遊技球に、大入賞口２１に入賞可能な機会を再度与えることができる。【選択図】図３
2020068861.tif 000002
【特許請求の範囲】
【請求項１】
遊技球が前面側を流下する遊技盤と、
前記遊技盤の前面に配される入賞口と、当たり遊技時に前記入賞口の上側で開閉される開閉扉とを有し、前記開閉扉の閉鎖時に遊技球が前記入賞口に入賞不可能な閉鎖状態と、前記開閉扉の開放時に前記入賞口の上側を通る遊技球が前記入賞口に入賞可能な開放状態と、に変化する入賞装置と、
前記入賞口の上側を通った遊技球のうちで前記入賞口に入賞しなかった遊技球である非入賞球を、前記入賞口の上側に誘導する誘導手段と
を備えたことを特徴する遊技機。
【請求項２】
前記遊技盤は、前記遊技盤の前面より後部、且つ前記入賞口の上方後部を含む領域に設けられ、遊技球が流入可能な後部空間を備え、
前記誘導手段は、前記後部空間に設けられ、遊技球が前記遊技盤の前面側から前記後部空間に流入した場合に、遊技球を前記後部空間において前記入賞口の上方後部まで誘導した後、前記後部空間から前記遊技盤の前面側に排出する
ことを特徴とする請求項１に記載の遊技機。
【請求項３】
前記非入賞球を前記後部空間へ導く誘導補助手段を、前記遊技盤の前面側に備えたことを特徴する請求項２に記載の遊技機。
【請求項４】
前記誘導手段は、前記後部空間に流入した遊技球が上面側で転動可能であって、遊技球が前記入賞口の上側に向かって転動するように傾斜した傾斜面であり、
前記傾斜面の上面側を転動する遊技球に接触することで、遊技球の転動速度を減速可能な減速手段を備えた
ことを特徴とする請求項２又は３に記載の遊技機。
【発明の詳細な説明】
【技術分野】
【０００１】
本発明は、遊技球を用いて遊技を行う遊技機に関する。
【背景技術】
【０００２】
従来、開放時に入賞可能とし、閉鎖時に入賞不可能とする開閉扉を有する入賞装置を備えた遊技機がある。このような入賞装置の中には、開閉扉が閉鎖時に、入賞装置に入賞することなく開閉扉の上面を通過してしまう遊技球を少なくするものがある。例えば、特許文献１に記載の遊技機では、入賞装置の開閉扉の上方に、開閉扉の上面を転動する遊技球を減速させる減速部が配設されており、その遊技球を入賞装置に入賞しやすくできる。
【先行技術文献】
【特許文献】
【０００３】
【特許文献１】特開２０１６−１４６９７４号公報
【発明の概要】
【発明が解決しようとする課題】
【０００４】
しかしながら、特許文献１に記載の遊技機では、閉鎖された開閉扉に阻まれ、入賞装置に入賞しなかった遊技球は、依然として入賞装置に入賞可能な機会がなかった。
【０００５】
本発明の目的は、入賞口に入賞しなかった遊技球に、該入賞口に入賞可能な機会を再度与えることができる遊技機を提供することである。
【課題を解決するための手段】
【０００６】
本発明に係る遊技機は、遊技球が前面側を流下する遊技盤と、前記遊技盤の前面に配される入賞口と、当たり遊技時に前記入賞口の上側で開閉される開閉扉とを有し、前記開閉扉の閉鎖時に遊技球が前記入賞口に入賞不可能な閉鎖状態と、前記開閉扉の開放時に前記入賞口の上側を通る遊技球が前記入賞口に入賞可能な開放状態と、に変化する入賞装置と、前記入賞口の上側を通った遊技球のうちで前記入賞口に入賞しなかった遊技球である非入賞球を、前記入賞口の上側に誘導する誘導手段とを備えたことを特徴する。本態様の遊技機によれば、入賞口に入賞しなかった非入賞球に、該入賞口に入賞可能な機会を再度与えることができる。
【０００７】
前記遊技盤は、前記遊技盤の前面より後部、且つ前記入賞口の上方後部を含む領域に設けられ、遊技球が流入可能な後部空間を備え、前記誘導手段は、前記後部空間に設けられ、遊技球が前記遊技盤の前面側から前記後部空間に流入した場合に、遊技球を前記後部空間において前記入賞口の上方後部まで誘導した後、前記後部空間から前記遊技盤の前面側に排出してもよい。この場合、複数の遊技球が入賞口に入賞しなかった場合、仮に誘導手段が遊技盤の前面に設けられていると、誘導手段に誘導されて入賞口の上側に向かう非入賞球（以下、先行球）と、先行球よりも後に入賞口の上側を通る非入賞球（以下、後続球）とが衝突し、先行球が入賞口の上側に誘導されない事態が生じ得る。これに対し、遊技盤に後部空間を設け、後部空間に誘導手段を設けることで、先行球は後続球と干渉し難い経路で入賞口の上方に誘導されるため、先行球が入賞口の上側に誘導されることを後続球が妨害してしまうことを抑制できる。
【０００８】
前記非入賞球を前記後部空間へ導く誘導補助手段を、前記遊技盤の前面側に備えてもよい。この場合、誘導補助手段により非入賞球を誘導手段に導き易くなる。よって、入賞口に入賞しなかった非入賞球を入賞口の上側へより誘導することができ、該入賞口に入賞可能な機会を更に与えることができる。
【０００９】
前記誘導手段は、前記後部空間に流入した遊技球が上面側で転動可能であって、遊技球が前記入賞口の上側に向かって転動するように傾斜した傾斜面であり、前記傾斜面の上面側を転動する遊技球に接触することで、遊技球の転動速度を減速可能な減速手段を備えてもよい。この場合、誘導手段を転動する遊技球を減速させることで、該遊技球は、入賞口の上側に戻った際に、入賞口の上側に留まり易くなる。よって、入賞口に入賞しなかった遊技球が、入賞口の上側に戻った際に、該入賞口に入賞容易となる。
【図面の簡単な説明】
【００１０】
【図１】パチンコ機１の正面図である。
【図２】遊技盤２の正面図である。
【図３】大入賞装置２０の周囲の斜視図である。
【図４】大入賞装置２０の周囲の正面図である。
【図５】図４に示すＩ‐Ｉ線矢視方向断面図である。
【図６】開閉部材２２の閉鎖状態における図４に示すＩＩ‐ＩＩ線矢視方向断面図である。
【図７】開閉部材２２の開放状態における図４に示すＩＩ‐ＩＩ線矢視方向断面図である。
【発明を実施するための形態】
【００１１】
以下、本発明に係る遊技機の一実施形態であるパチンコ機１について、図面を参照して説明する。以下の説明では、図１の手前側、奥側、上側、下側、左側、および右側を、それぞれ、パチンコ機１の前側、後側、上側、下側、左側、および右側とする。
【００１２】
図１および図２を参照して、パチンコ機１の機械的構成について説明する。図１に示すように、パチンコ機１は、遊技盤２を着脱可能な本体枠２９を備える。遊技盤２は正面視略正方形の板状である（図２参照）。本体枠２９に装着された遊技盤２は、パチンコ機１の上側部分に配置される。遊技盤２は、本体枠２９と、本体枠２９の前側に装着された前面枠２９１との間で保持される。前面枠２９１は、透明なガラス板を保持しており、遊技盤２の前面を保護する。
【００１３】
遊技盤２の下部には上皿５が設けられている。上皿５は、遊技球発射装置（図示外）に金属製の遊技球を供給し、且つ賞球を受ける。上皿５の上面には、遊技者によって操作される操作ボタン９が設けられている。上皿５の直下には、賞球を受ける下皿６が設けられている。下皿６の右横には、遊技球の発射を調整する発射ハンドル７が設けられている。発射ハンドル７は、遊技者が回転操作できるように設けられている。遊技者が発射ハンドル７を回転させて発射操作を行うと、発射ハンドル７の回転角度に応じた強度で、遊技球発射装置によって遊技球が発射される。前面枠２９１のガラス板を取り囲むように、電飾部材３５が設けられている。電飾部材３５は、遊技の進行等に応じて点灯または点滅可能である。前面枠２９１の上部の両角部に、スピーカ４８がそれぞれ設けられている。
【００１４】
図２に示すように、遊技盤２の前面には、ガイドレール３で囲まれた略円形の遊技領域４が形成されている。ガイドレール３は、遊技領域４の左側に形成されている。遊技領域４の略中央には、各種演出を実行するセンター飾り８が設けられている。遊技球発射装置によって発射された遊技球は、ガイドレール３によって遊技領域４へ導かれ、遊技領域４内を流下する。所定の強度未満の発射強度で発射された遊技球は、センター飾り８の左側を流下し、所定の強度以上の発射強度で発射された遊技球は、センター飾り８の右側を流下する。以下、遊技球がセンター飾り８の右側を流下するように遊技球を発射することを「右打ち」という。
【００１５】
センター飾り８は、表示画面２８等を主に備える。表示画面２８は、センター飾り８の上部の略中央に配置される。表示画面２８は、例えばＬＣＤ等によって構成されており、様々な数字・文字等を表示可能である。表示画面２８は、例えば、大当たり判定の結果を遊技者に報知する演出用の図柄である演出図柄を表示する。パチンコ機１は、複数（本実施形態では３つ）の演出図柄を変動させる図柄変動を表示した後に、大当たり判定の結果を示す演出図柄の組合せを確定表示する報知演出を実行する。パチンコ機１は、報知演出により大当たり判定の結果を遊技者に報知する。
【００１６】
センター飾り８の略左方には、普通図柄作動ゲート１２が設けられている。センター飾り８の略中央下方には、第一始動口１５が設けられている。第一始動口１５の下方には、第二始動口１３が設けられている。第二始動口１３は、いわゆる普通電動役物（当たり判定の結果に基づき入賞口の入口の大きさを変化する役物）に係る入賞口として構成される。第二始動口１３は、第二始動口ソレノイド（図示外）によって電気的に開閉される開閉部材１４を備える。本実施形態では、開閉部材１４が開放された開放状態の場合にのみ、遊技球は第二始動口１３に入賞できる。なお、第二始動口１３は、開閉部材１４が閉鎖された閉鎖状態にも遊技球の入賞が可能であって、開閉部材１４が開放されることで閉鎖状態よりも遊技球が入賞容易となる構成であってもよい。
【００１７】
センター飾り８の右側下方には、大入賞装置２０が設けられている。大入賞装置２０は、大入賞口２１および開閉部材２２を備える。大入賞口２１は遊技盤２の前面に設けられる。大入賞口２１は、いわゆる特別電動役物（当たり判定の結果に基づき所定の態様で入賞口を開閉する役物）に係る入賞口として構成される。大入賞装置２０はセンター飾り８よりも右側に配置されるので、遊技者は右打ちで大入賞装置２０の大入賞口２１への入賞を狙うことになる。
【００１８】
開閉部材２２は、大入賞口２１の上側に設けられ、略平板上に形成される。開閉部材２２は、左方に向けて下側に傾斜している。開閉部材２２は、閉鎖状態で大入賞口２１を上部から覆うことで遊技球が大入賞口２１の内部に入賞不可能とする。一方、開閉部材２２は、開放状態で遊技盤２の前面より後方にスライドし、大入賞口２１を開放する。開閉部材２２の開閉駆動の概要については後述する。開閉部材２２の開放状態で、大入賞口２１の上側を通る遊技球は大入賞口２１に入賞可能となる。
【００１９】
本実施形態では、大入賞装置２０は大当たり遊技状態が生起されている場合に、開閉部材２２が、大当たり遊技として開放状態と閉鎖状態とが切り替えられるように構成されている。大当たり遊技状態が終了すると、開閉部材２２は閉鎖状態となり、入賞不可になる。
【００２０】
遊技領域４には、上記以外に、アウト口２７、風車および遊技くぎ等が設けられている。遊技領域４を流下する遊技球のうち、第一始動口１５、第二始動口１３、大入賞口２１のいずれにも入賞せず遊技領域４の下部まで流下した遊技球は、遊技盤２の下部に設けられたアウト口２７を通過する。アウト口２７を通過した遊技球は、遊技領域４の外部へ排出される。
【００２１】
パチンコ機１における遊技の概要について説明する。パチンコ機１には、大当たり遊技と普通当たり遊技が設けられている。大当たり遊技は、条件装置の作動に伴い、役物連続作動装置が作動することにより実行される。条件装置とは、役物連続作動装置が作動するための条件となる装置である。条件装置は、大当たりであることを示す特別図柄が確定表示された場合、または役物連続作動装置が作動していない状態で、遊技球が大入賞装置２０の内部の特定の領域を通過した場合に作動する。特別図柄とは、後述する大当たり判定の結果を示す図柄で表示画面２８に表示される。役物連続作動装置とは、大入賞口を連続して作動する大当たり遊技状態を生起させるための装置である。以下、条件装置および役物連続作動装置が作動している状態を、大当たり遊技状態という。
【００２２】
普通当たり遊技について説明する。普通図柄作動ゲート１２を遊技球が通過すると、普通当たり判定が行われる。普通当たり判定では、普通当たりおよびはずれのいずれであるかが、普通当たり乱数に基づいて判定される。普通当たり判定において普通当たりと判定されると、第二始動口１３の開閉部材１４が所定の開放パターンで開閉される普通当たり遊技が実行される。
【００２３】
大当たり遊技について説明する。本実施形態では、第一始動口１５または第二始動口１３へ遊技球が入賞すると、大当たり判定が行われる。大当たり判定では、大当たりおよびはずれのいずれかであるが、大当たり乱数に基づいて判定される。大当たり判定において大当たりであると判定されると、条件装置が作動する。これに伴い、役物連続作動装置が作動して大当たり遊技状態が生起され、大入賞装置２０の開閉部材２２が所定時間開放状態にされることが所定回数繰り返される大当たり遊技が実行される。本実施形態において、大入賞装置２０は、条件装置の作動により役物連続作動装置が作動した場合に作動する大入賞装置である。本実施形態では、大当たり判定において大当たりであると判定される確率は１／２００である。
【００２４】
図３から図７を参照して、大入賞装置２０の周囲の構造について説明する。図３に示すように、遊技盤２の前面、且つ大入賞口２１の左方には、傾斜部２３が設けられている。傾斜部２３は略平板状に形成される。遊技盤２の前面、且つ傾斜部２３の左方には、上下方向に延びる略平板状の壁部２４が設けられている。壁部２４は、傾斜部２３の左端部よりも上方に延びている。大入賞口２１の上方後部には、遊技盤２の前面より後方に凹んだ後部空間２５が設けられている。後部空間２５は略直方体状に形成され、遊技球が内部を移動可能に設けられている。後部空間２５の底面にはステージ部２５１が形成されている。
【００２５】
図４に示すように、傾斜部２３の右端部は、開閉部材２２の左端部と上下方向における略同じ位置に配置される。傾斜部２３の右端部と開閉部材２２の左端部の間には、遊技球が少なくとも一球ずつ流下可能な隙間２６が設けられている。傾斜部２３は、右方に向けて下側に傾斜している。後部空間２５の底面であるステージ部２５１は、右方に向けて下側に傾斜している。ステージ部２５１は右端部に排出部２５３を備える。
【００２６】
図５に示すように、傾斜部２３の左端部と後部空間２５の左端部とは、左右方向における略同じ位置に配置されている。傾斜部２３の左方には壁部２４が隣接して設けられている。図４に示すように、壁部２４は、傾斜部２３の左端部よりも上方に延びているので、遊技球は傾斜部２３より左方へ移動することが抑制される。ステージ部２５１の上面における前後方向のそれぞれの端部には、左右方向に互い違いにずれて上方向に延びる突起状の減速部２５２が複数配置されている。
【００２７】
図６および図７に示すように、開閉部材２２および排出部２５３を除くステージ部２５１は前後方向に水平に設けられている。排出部２５３は前方へ向けて下側に傾斜している。傾斜部２３は後方に向けて下側に傾斜している。図４および図７に示すように、傾斜部２３の左端部における後端は、ステージ部２５１の左端部における前端と上下方向における略同じ位置に配置される。
【００２８】
ここで、開閉部材２２の開閉駆動の概要について説明する。開閉部材２２は開閉機構５１と連結している。開閉機構５１は、大入賞装置２０の後部に設けられる。開閉機構５１は、ケーシング５２、ソレノイド５３、リンク５６を備える。ソレノイド５３は、プランジャ５４およびスプリング（図示略）を備える。プランジャ５４の前端部は、リンク５６と回動自在に取り付けられる。リンク５６の下端部は、ケーシング５２の側面に形成された支持部５５によって回動可能に支持されている。一方、リンク５６の上端部は、開閉部材２２と回動可能に連結されている。
【００２９】
ソレノイド５３が通電されていない場合、スプリングにより常時付勢されているプランジャ５４は前進位置にある。この場合、開閉部材２２は、リンク５６に連動して遊技盤２の前面よりも前方に突出し、図６に示す閉鎖状態となる。ソレノイド５３が通電された場合、プランジャ５４が後方に引き込まれる。この場合、開閉部材２２は、リンク５６に連動して、遊技盤２の前面から後方に退入し、図７に示す開放状態となる。
【００３０】
図３を参照して、遊技中における大入賞装置２０の周囲の遊技球の動きについて説明する。上述の通り、遊技者は大入賞口２１への入賞を右打ちにより狙う。開閉部材２２が開放状態である場合、遊技球は大入賞口２１に入賞可能である。例えば開閉部材２２が閉鎖状態である等の理由で遊技球が大入賞口２１に入賞しない場合、大入賞装置２０の周囲の遊技くぎの配置および開閉部材２２の傾斜により、遊技球は大入賞口２１の上側を右から左に向けて通る（遊技球Ａ１および遊技球Ａ２）。
【００３１】
ここで、例えば大入賞口２１の上側を通る遊技球の左方へ移動する勢いが弱い場合、遊技球は隙間２６を通って下方へ流下する（遊技球Ａ１１）。一方、例えば開閉部材２２の上側を通る遊技球の左方へ移動する勢いが強い場合、遊技球は開閉部材２２の左端部より隙間２６を飛び越え、傾斜部２３へ向かう。傾斜部２３は右方に向けて下側に傾斜しているが、遊技球の左方へ移動する勢いが強い場合、傾斜部２３へ向かった遊技球は、傾斜部２３の傾斜を上り、傾斜部２３の左端部まで到達する（遊技球Ａ３）。傾斜部２３の左端部まで到達した遊技球は、壁部２４によって傾斜部２３より左方には行くことが抑制される。
【００３２】
傾斜部２３は後方に向けて下側に傾斜している。また、傾斜部２３の左端部における後端は、ステージ部２５１の左端部における前端と上下方向における略同じ位置に配置される。従って、傾斜部２３の左端部まで到達した遊技球は、後部空間２５のステージ部２５１へ流入しやすい。
【００３３】
例えば後部空間２５に流入した遊技球は、ステージ部２５１の傾斜により右方へ転動する（遊技球Ａ４）。ステージ部２５１を転動する遊技球は、減速部２５２によってステージ部２５１の上面を前後に蛇行しながら右方へ転動しやすい。遊技球がステージ部２５１の右端部に到達した場合、排出部２５３の傾斜によって、後部空間２５から大入賞口２１の上側に排出される（遊技球Ａ５）。この時、大入賞装置２０が開放状態であれば、後部空間２５より排出された遊技球は大入賞口２１に入賞し易い。よって、パチンコ機１は、大入賞口２１に入賞することなく開閉部材２２の上側を通過した遊技球に、大入賞口２１へ入賞する機会を再度与えることができる。
【００３４】
また、上述の通り、後部空間２５に流入した遊技球はステージ部２５１の上面を前後に蛇行しながら右方へ転動しやすい。蛇行しながら転動する遊技球は、前後方向に進路を転換する際に、前後方向の回転が瞬間的に停止し、逆回転をして進路転換する。よって、回転が逆転する際に遊技球の転動速度は減速する。減速した遊技球は、大入賞口２１の上側に排出されたとき開閉部材２２が閉鎖状態であっても、大入賞口２１の上側に長く留まる。よって、遊技球は、開閉部材２２が閉鎖状態から開放状態に切り替わるまでの時間を確保することができ、大入賞口２１へ更に入賞し易くなる。
【００３５】
一方、例えば傾斜部２３に向かう遊技球の勢いが弱い場合、遊技球が傾斜部２３から後部空間２５に流入しない場合がある。この場合、右方に向けて下側に傾斜する傾斜部２３によって、遊技球の進路が右方に転換される。更に遊技球は、傾斜部２３によって右下方向に向かって加速するように案内されることで、傾斜部２３の右端部より隙間２６を飛び越えて、開閉部材２２の上側へ向かう場合がある。従って、遊技球が傾斜部２３から後部空間２５に流入しない場合でも、大入賞口２１に入賞することなく大入賞口２１の上側を通過した遊技球に、大入賞口２１へ入賞する機会が再度与えることができる。
【００３６】
上述の通り、遊技球が後部空間２５へ流入しなかった場合でも、遊技球に大入賞口２１へ入賞する機会が再度与えることができる。仮に複数の遊技球が大入賞口２１に入賞せず、傾斜部２３によって誘導されて大入賞口２１の上側に向かう遊技球（以下、先行球）と、先行球よりも後に大入賞口２１の上側を通る遊技球（以下、後続球）がある場合、先行球と後続球とが衝突し、先行球が大入賞口２１の上側に誘導されない事態が生じ得る。これに対し、遊技盤２に後部空間２５を設け、後部空間２５にステージ部２５１を設けることで、先行球は後続球と干渉し難い経路で大入賞口２１の上側に誘導される。従って、先行球が大入賞口２１の上側に誘導されることを後続球が干渉してしまうことを抑制できる。
【００３７】
以上説明したように、本実施形態のパチンコ機１によれば、遊技球が前面側を流下する遊技盤２と、遊技盤２の前面に配される大入賞口２１と、当たり遊技時に大入賞口２１の上側で開閉される開閉部材２２を有し、開閉部材２２の閉鎖時に遊技球が入賞不可能な閉鎖状態と、開閉部材２２の開放時に大入賞口２１の上側を通る遊技球が入賞可能な開放状態とに変化する大入賞装置２０と、大入賞口２１の上側を通った遊技球のうちで大入賞口２１に入賞しなかった遊技球を、大入賞口２１の上側に誘導する誘導手段（ステージ部２５１および傾斜部２３）とを備えたことを特徴とする。これによれば、大入賞口２１に入賞しなかった遊技球に、大入賞口２１に入賞可能な機会を再度与えることができる。
【００３８】
また、遊技盤２は、遊技盤２の前面より後部、且つ大入賞口２１の上方後部を含む領域に設けられ、遊技球が流入可能な後部空間２５を備え、ステージ部２５１は、後部空間２５に設けられ、遊技球が遊技盤２の前面側から後部空間２５に流入した場合に、遊技球を後部空間２５において大入賞口２１の上方後部まで誘導した後、後部空間２５から遊技盤２の前面側に排出する。複数の遊技球が大入賞口２１に入賞しなかった場合、傾斜部２３に誘導されて大入賞口２１の上側に向かう先行球と、先行球よりも後に大入賞口２１の上側を通る後続球とが衝突し、先行球が大入賞口２１の上側に誘導されない事態が生じ得る。これに対し、遊技盤２に後部空間２５を設け、後部空間２５にステージ部２５１を設けることで、先行球は後続球と干渉し難い経路で大入賞口２１の上側に誘導されるため、先行球が大入賞口２１の上側に誘導されることを後続球が妨害してしまうことを抑制できる。
【００３９】
また、大入賞口２１に入賞しなかった遊技球を後部空間２５へ導く傾斜部２３を、遊技盤２の前面側に備える。これにより、大入賞口２１に入賞しなかった遊技球を、傾斜部２３によりステージ部２５１に導き易くなる。よって、大入賞口２１に入賞しなかった遊技球を大入賞口２１の上側へより誘導することができ、大入賞口２１に入賞可能な機会を更に与えることができる。
【００４０】
また、ステージ部２５１は、後部空間２５に流入した遊技球が上面側で転動可能であって、遊技球が大入賞口２１の上側に向かって転動するように傾斜した傾斜面であり、傾斜面の上面側を転動する遊技球に接触することで、遊技球の転動速度を減速可能な減速部２５２を備えてもよい。これにより、ステージ部２５１を転動する遊技球を減速させることで、減速した遊技球は、大入賞口２１の上側に戻った際に、大入賞口２１の上側に留まり易くなる。よって、大入賞口２１に入賞しなかった遊技球が、大入賞口２１の上側に戻った際に、大入賞口２１に入賞容易となる。
【００４１】
なお、本実施形態において、大入賞口２１が、本発明の「入賞口」に相当する。開閉部材２２が、本発明の「開閉扉」に相当する。大入賞装置２０が、本発明の「入賞装置」に相当する。ステージ部２５１および傾斜部２３が、本発明の「誘導手段」に相当する。傾斜部２３が、本発明の「誘導補助手段」に相当する。減速部２５２が、本発明の「減速手段」に相当する。ステージ部２５１が、本発明の「傾斜面」に相当する。
【００４２】
なお、本発明は、上記実施形態に限定されるものではなく、本発明の要旨を逸脱しない範囲内において種々の変更が可能である。例えば、上記実施形態のパチンコ機１では、閉鎖状態で前面にあった開閉部材２２が、開放状態から閉鎖状態に切り替わる際に遊技盤２の前面より後方にスライドする構成としたが、開閉部材２２は閉鎖状態で大入賞口２１を上部から覆っていればよく、例えば、開閉部材の後方にヒンジを設け、開放状態において開閉部材がヒンジにより上方向または下方向に回動するように設けてもよい。
【００４３】
上記実施形態のパチンコ機１では、大入賞装置２０はセンター飾り８の右側に配置したが、遊技領域４であればどこに配置してもよい。
【００４４】
上記実施形態のパチンコ機１では、傾斜部２３は、大入賞口２１に入賞しなかった遊技球を左方から右方に誘導したが、大入賞口２１に入賞しなかった遊技球を右方から左方に誘導してもよい。大入賞装置２０周囲の遊技くぎの配置等によっては、大入賞口２１に向かって流下する遊技球が、大入賞口２１の上側を左方から右方に通る場合が考えられる。例えば、図４に示すＩＩ−ＩＩ線を軸に左右を反転させた構成とすることにより、傾斜部２３は大入賞口２１に入賞しなかった遊技球を右方から左方に誘導し、大入賞口２１に入賞可能な機会を再度与えることができる。
【００４５】
上記実施形態のパチンコ機１では、開閉部材２２は、左方に向けて下側に傾斜させたが、略水平に設けてもよい。この場合、遊技球は、誘導手段によって大入賞口２１の上側に誘導されたときに開閉部材２２が閉鎖状態であっても、大入賞口２１の上側に長く留まる。よって、遊技球は、開閉部材２２が閉鎖状態から開放状態に切り替わるまでの時間を確保することができ、大入賞口２１へ更に入賞し易くなる。
【００４６】
また、上記実施形態のパチンコ機１において、ステージ部２５１と傾斜部２３の傾斜にて開閉部材２２の上側に遊技球を誘導したが、別の誘導手段であっても構わない。例えば、大入賞口２１に入賞しなかった遊技球をクレーンで吊り上げ、大入賞口２１の上側に誘導する等の方法が挙げられる。遊技球を大入賞口２１の上側に誘導する誘導手段は、物理的、機械的方法以外に、電気的、磁気的な力を用いるものであってもよい。
【００４７】
また、上記実施形態のパチンコ機１において、傾斜部２３は後方に向けて下方に傾斜することで遊技球をステージ部２５１に誘導したが、別の誘導手段であっても構わない。例えば、傾斜部にベルトコンベアを設けて機械的に遊技球をステージ部２５１に誘導してもよい。遊技球をステージ部２５１に誘導する誘導手段は物理的、機械的方法以外に、電気的、磁気的な力を用いるものであってもよい。
【００４８】
また、上記実施形態のパチンコ機１において、後部空間２５にステージ部２５１が設けられているが、ステージ部２５１の少なくとも一部が後部空間２５に設けられていればよい。また、後部空間２５を設けず、遊技盤２の前面にステージ部２５１を設けてもよい。ステージ部２５１を設けず、傾斜部２３のみからなる構成であってもよい。
【００４９】
また、上記実施形態のパチンコ機１において、ステージ部２５１と傾斜部２３が別体で構成されているが、一体に形成されてもよい。また、壁部２４と傾斜部２３が別体で構成されているが、一体に形成されてもよい。また、壁部２４は設けなくてもよい。
【００５０】
また、上記実施形態のパチンコ機１は、ステージ部２５１の上面に上方に延びる突起状の減速部２５２を設けたが、減速部２５２はステージ部２５１を転動する遊技球の速度を減速できる構成であればよい。一例として、ステージ部２５１の上面に遊技球との接触時に撓むブラシ部が上方に伸びて設けられ、ステージ部２５１を転動する遊技球の速度を減速させる方法が挙げられる。ステージ部２５１を転動する遊技球の速度を減速させる機構は、物理的な接触方法以外に、電気的、磁気的な力を用いるものであってもよい。また、減速部２５２は設けなくてもよい。
【００５１】
また、上記実施形態のパチンコ機１において、後部空間２５と遊技盤２の前面の境界には遊技球の移動を阻害するものはないが、このような移動を阻害する阻害壁を設けてもよい。阻害壁は、遊技球が傾斜部２３から後部空間２５へと流入可能な流入口と、遊技球が後部空間２５から大入賞口２１の上側に排出可能な排出口が設けられてあれば、後部空間２５と遊技盤２の前面との境界を覆ってしまってもよい。阻害壁により、後部空間２５内の遊技球は排出口以外から流出することが抑制されるため、減速部２５２による減速の効果がさらに向上される。
【００５２】
また、後部空間２５に入賞口を設けてもよい。この場合、後部空間２５に流入した遊技球に別の入賞の機会がさらに与えられるので、興趣を向上させられる。
【００５３】
また、上記実施形態のパチンコ機１において、ステージ部２５１は排出部２５３を除いて前後方向において傾斜が設けられていないが、排出部２５３以外にも前後方向に傾斜を設けてもよい。例えば、ステージ部２５１全域を前方に向けて下方に傾斜させた場合、遊技球は排出部２５３以外でも後部空間２５から排出される可能性がある。遊技者はどのタイミングで遊技球が大入賞口２１の上側に誘導されるか分からないので、興趣を向上させられる。一方、排出部２５３以外を後方に向けて下方に傾斜させた場合、遊技球はステージ部２５１の上面を排出部２５３以外から大入賞口２１の上側に向かうことが少なくなるので、減速部２５２による遊技球の減速の効果をさらに向上できる。
【００５４】
また、上記実施形態のパチンコ機１は、大当たり判定は１種類のみであるが、複数設けてもよい。例えば、遊技球が第一始動口１５に入賞すると第一大当たり判定が行われ、遊技球が第二始動口１３に入賞すると第二大当たり判定が行われるようにしてもよい。この場合、第一大当たり判定の結果を第一特別図柄が示し、第二大当たり判定の結果を第二特別図柄が示す。
【００５５】
また、上記実施形態のパチンコ機１は、大入賞装置２０に特定領域（いわゆる、Ｖ入賞口）が設けられていない、いわゆる旧１種タイプ（いわゆる、セブン機）と呼ばれる遊技機を例示した。しかし、大入賞口に特定領域が設けられた、いわゆる旧２種タイプ（いわゆる、羽根物）と呼ばれる遊技機にも適用できる。また、２つの大入賞口を設け、一方の大入賞口のみ特定領域が設けられた、いわゆる１種２種混合機と呼ばれるタイプの遊技機にも適用できる。
【００５６】
さらには、特許請求の範囲、明細書、および図面に記載される全ての要素は、個数を意識的に限定する明確な記載がない限り、物理的に単一であっても複数であっても構わないし、適宜配置の変更が行われても構わない。また、特許請求の範囲や明細書等で使用している要素名（要素につけた名前）は、単に本件の記載のために便宜上付与したに過ぎないものであり、それによって特別な意味が生じることを特に意識したものではない。すなわち、要素名のみによって要素がなんであるか限定解釈されるものではない。例えば、「当たり抽選手段」は、ハード単体でも、ソフトを含んだものであっても構わない。さらには、全ての要素のうちの複数の要素を適宜一体的に構成するか、もしくは一つの要素を複数の要素に分けて構成するかは、特許請求の範囲等において特定していない限り、いずれも当業者であれば極めて容易に考えられる事項であるため、敢えて明細書等において全てのパターンを記載しなくてもいずれのパターンも想定範囲内であることから本発明に係る権利範囲に含まれるのは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【符号の説明】
【００５７】
１        パチンコ機
２        遊技盤
２０      大入賞装置
２１      大入賞口
２２      開閉部材
２３      傾斜部
２５１    ステージ部
【図１】
2020068861.tif 000003
【図２】
2020068861.tif 000004
【図３】
2020068861.tif 000005
【図４】
2020068861.tif 000006
【図５】
2020068861.tif 000007
【図６】
2020068861.tif 000008
【図７】
2020068861.tif 000009